(57)【特許請求の範囲】
【請求項１】
着脱可能な記憶媒体に格納されたジョブを実行する画像処理装置における画像処理方法において、
前記記憶媒体が前記画像処理装置に装着された場合、前記画像処理装置にて実行されるべきジョブであって画像情報と該画像情報に対して実行されるべき所定の処理モードを示す処理情報とを対応付けた前記ジョブが、前記記憶媒体に格納されているか否かを判定する第１の判定工程と、
前記画像処理装置にて実行されるべきジョブが前記記憶媒体に格納されていると前記第１の判定工程にて判定された場合、前記記憶媒体に格納された複数の前記ジョブにかかる前記所定の処理モードの実行可否を、前記複数のジョブにかかる前記処理情報に基づいて、前記複数のジョブの各々について順次判定する第２の判定工程と、
前記ジョブにかかる前記画像情報を該画像情報に対応する前記処理情報が示す前記所定の処理モードにて処理する処理工程であって、前記第２の判定工程にて実行否と判定したジョブを実行することなく、前記第２の判定工程にて実行可と判定した複数のジョブを順次実行する処理工程と、
を有することを特徴とする画像処理方法。
【請求項２】
前記第２の判定工程にて実行否と判定したジョブを特定するための情報を表示する表示工程を有することを特徴とする請求項１記載の画像処理方法。
【請求項３】
前記第２の判定工程にて実行否と判定したジョブに対応付けられた前記処理情報を表示する表示工程を有することを特徴とする請求項１記載の画像処理方法。
【請求項４】
前記処理工程にて実行したジョブを前記記憶媒体から削除する削除工程を有することを特徴とする請求項１記載の画像処理方法。
【請求項５】
前記記憶媒体が前記画像処理装置に装着された場合において、所定の認証情報が入力されない場合は、前記処理工程においてジョブの実行をしないことを特徴とする請求項１記載の画像処理方法。
【請求項６】
前記所定の処理は、記録紙への画像記録処理であり、
前記処理情報は、前記記録紙への画像記録処理に関する情報であり、
前記処理工程は、前記記憶媒体に格納された前記ジョブにかかる前記画像情報に基づいて、前記画像情報に対応する前記画像記録処理に関する情報に応じた前記画像記録処理を実行することを特徴とする請求項１に記載の画像処理方法。
【請求項７】
前記第２の判定工程は、前記ジョブにかかる前記画像記録処理に関する情報が、前記処理工程にて実行不可能な画像記録処理を示す情報である場合、前記ジョブにかかる前記画像記録処理を実行否と判定することを特徴とする請求項６に記載の画像処理方法。
【請求項８】
着脱可能な記憶媒体に格納されたジョブを実行する画像処理装置において、
画像情報と該画像情報に対して実行されるべき所定の処理モードを示す処理情報とを対応付けた前記ジョブを実行する処理手段であって、前記ジョブにかかる前記画像情報を該画像情報に対応する前記処理情報が示す前記所定の処理モードにて処理する処理手段と、
前記記憶媒体が前記画像処理装置に装着された場合、前記処理手段にて実行されるべきジョブが、前記記憶媒体に格納されているか否かを判定する第１の判定手段と、
前記処理手段にて実行されるべきジョブが前記記憶媒体に格納されていると前記第１の判定手段が判定した場合、前記記憶媒体に格納された複数の前記ジョブにかかる前記所定の処理モードの実行可否を、前記複数のジョブにかかる前記処理情報に基づいて、前記複数のジョブの各々について順次判定する第２の判定手段とを有し、
前記処理手段は、前記第２の判定手段が実行否と判定したジョブを実行することなく、前記第２の判定手段が実行可と判定した複数のジョブを順次実行する
ことを特徴とする画像処理装置。
【請求項９】
前記第２の判定手段が実行否と判定したジョブを特定するための情報を表示する表示手段を有することを特徴とする請求項８記載の画像処理装置。
【請求項１０】
前記第２の判定手段が実行否と判定したジョブに対応付けられた前記処理情報を表示する表示手段を有することを特徴とする請求項８記載の画像処理装置。
【請求項１１】
前記処理手段が実行したジョブを前記記憶媒体から削除する削除手段を有することを特徴とする請求項８記載の画像処理装置。
【請求項１２】
前記記憶媒体が前記画像処理装置に装着された場合において、所定の認証情報が入力されない場合は、前記処理手段のよるジョブの処理を実行をしないことを特徴とする請求項８記載の画像処理装置。
【請求項１３】
前記所定の処理は、記録紙への画像記録処理であり、
前記処理情報は、前記記録紙への画像記録処理に関する情報であり、
前記処理手段は、前記記憶媒体に格納された前記ジョブにかかる前記画像情報に基づいて、前記画像情報に対応する前記画像記録処理に関する情報に応じた前記画像記録処理を実行することを特徴とする請求項８に記載の画像処理装置。
【請求項１４】
前記第２の判定手段は、前記ジョブにかかる前記画像記録処理に関する情報が、前記処理手段にて実行不可能な画像記録処理を示す情報である場合、前記ジョブにかかる前記画像記録処理を実行否と判定することを特徴とする請求項１３に記載の画像処理装置。
【発明の詳細な説明】
【０００１】
【発明の属する技術分野】
本発明は、着脱可能な記憶媒体に格納されたジョブを実行する画像処理方法および画像処理装置に関するものである。
【０００２】
【従来の技術】
従来より、入力した画像データを電気的に記憶できるメモリにファイルとして格納しておき、ファイル毎に管理できる画像電子ファイル装置が知られている。
【０００３】
従来の例えばスタンドアローンで用いられる画像電子ファイル装置等は、オリジナル原稿画像を読み取るためのスキャナ，画像データを記録紙等に記録出力するためのプリンタ、画像を可視表示するためのディスプレイ，各処理を制御するためのコントローラおよび画像データをファイルとして記憶するための記憶装置等で構成されている。
【０００４】
ところで、近年になりディジタル複写機のスキャナ，プリンタを兼用して、更にモデム等を付加することにより、ファクシミリ装置として利用したり、あるいはディジタル複写機のプリンタ部を兼用して、さらにコンピュータインタフェース等を付加することにより、コンピュータからコードデータをビットマップデータに展開してプリントアウトが可能な複合機が実用化されている。
【０００５】
そして、このような複合化は、例えば特開平５−１３０３１１号等に記載されているように、複写機能，ファクシミリ機能，プリンタフォーマッタ機能，画像電子ファイル機能、およびイメージメモリ機能等の複数の機能を１つのユニットとして構成するように、さらに高付加価値化へと向かいつつある。
【０００６】
このような複合機においては、前記各機能が各々所有していたスキャナ部およびプリンタ部を共用することにより、省スペース化，コストダウン，高機能化等を図るものである。
【０００７】
さらに、複写機においては、従来から、ソータ，あるいはステイプルソータを使用して、原稿のコピー出力結果をソーティングしたり、ステイプルすることが可能であった。
【０００８】
また、記録装置から所望のファイルの画像データを読み出し、プリンタにより記録紙に記録出力させる際に、ソーティングやステイプルを行う場合は、操作部からソーティングやステイプルといった出力モードを設定することにより指定した出力モードで出力することが可能であった。
【０００９】
【発明が解決しようとする課題】
しかしながら、上記のように操作部から出力モードを設定する場合、１人のユーザが設定操作を行っている間、他のユーザは装置を利用することができず、操作中のユーザにより装置を占有してしまうという問題があった。
【００１０】
そこで、複合画像処理装置とは離れたところにあるパーソナルコンピュータに接続されている外部記憶装置を使って処理対象の画像と処理内容を表すジョブファイルを作成し、記憶媒体に格納しておき、その記憶媒体を複合画像処理装置の外部記憶装置に挿入することにより、操作部で煩雑な操作をすることなく、所望の画像に対して所望の処理を行うことができるように構成することが考えられるが、この場合は、複合画像処理装置とは離れたところでジョブの処理モードを設定することとなるため、設定したジョブの処理モードの中に、複合画像処理装置で実行できない処理モードが含まれる恐れがあり、該処理モードによりシステム全体が正常なデータ処理を進行できない状態となり得るという問題点が考えられる。
【００１１】
本発明は、上記の問題点を解決するためになされたもので、本発明の目的は、画像処理装置にて実行されるべきジョブであって、画像処理装置に着脱可能な記憶媒体に格納された複数のジョブに、画像処理装置が実行否のジョブがある場合であっても、実行否のジョブを実行することなく実行可のジョブを順次実行することで、装置全体の処理をスムーズに進行できる画像処理方法および画像処理装置を提供することを目的とする。
【００１２】
【課題を解決するための手段】
本発明に係る第１の発明は、着脱可能な記憶媒体に格納されたジョブを実行する画像処理装置における画像処理方法において、前記記憶媒体が前記画像処理装置に装着された場合、前記画像処理装置にて実行されるべきジョブであって画像情報と該画像情報に対して実行されるべき所定の処理モードを示す処理情報とを対応付けた前記ジョブが、前記記憶媒体に格納されているか否かを判定する第１の判定工程と、前記画像処理装置にて実行されるべきジョブが前記記憶媒体に格納されていると前記第１の判定工程にて判定された場合、前記記憶媒体に格納された複数の前記ジョブにかかる前記所定の処理モードの実行可否を、前記複数のジョブにかかる前記処理情報に基づいて、前記複数のジョブの各々について順次判定する第２の判定工程と、前記ジョブにかかる前記画像情報を該画像情報に対応する前記処理情報が示す前記所定の処理モードにて処理する処理工程であって、前記第２の判定工程にて実行否と判定したジョブを実行することなく、前記第２の判定工程にて実行可と判定した複数のジョブを順次実行する処理工程と、を有することを特徴とする。
【００１３】
本発明に係る第２の発明は、前記第２の判定工程にて実行否と判定したジョブを特定するための情報を表示する表示工程を有することを特徴とする。
【００１４】
本発明に係る第３の発明は、前記第２の判定工程にて実行否と判定したジョブに対応付けられた前記処理情報を表示する表示工程を有することを特徴とする。
【００１５】
本発明に係る第４の発明は、前記処理工程にて実行したジョブを前記記憶媒体から削除する削除工程を有することを特徴とする。
【００１６】
本発明に係る第５の発明は、前記記憶媒体が前記画像処理装置に装着された場合において、所定の認証情報が入力されない場合は、前記処理工程においてジョブの実行をしないことを特徴とする。
【００１７】
本発明に係る第６の発明は、前記所定の処理は、記録紙への画像記録処理であり、前記処理情報は、前記記録紙への画像記録処理に関する情報であり、前記処理工程は、前記記憶媒体に格納された前記ジョブにかかる前記画像情報に基づいて、前記画像情報に対応する前記画像記録処理に関する情報に応じた前記画像記録処理を実行することを特徴とする。
【００１８】
本発明に係る第７の発明は、前記第２の判定工程は、前記ジョブにかかる前記画像記録処理に関する情報が、前記処理工程にて実行不可能な画像記録処理を示す情報である場合、前記ジョブにかかる前記画像記録処理を実行否と判定することを特徴とする。
【００１９】
本発明に係る第８の発明は、着脱可能な記憶媒体に格納されたジョブを実行する画像処理装置において、画像情報と該画像情報に対して実行されるべき所定の処理モードを示す処理情報とを対応付けた前記ジョブを実行する処理手段であって、前記ジョブにかかる前記画像情報を該画像情報に対応する前記処理情報が示す前記所定の処理モードにて処理する処理手段と、前記記憶媒体が前記画像処理装置に装着された場合、前記処理手段にて実行されるべきジョブが、前記記憶媒体に格納されているか否かを判定する第１の判定手段と、前記処理手段にて実行されるべきジョブが前記記憶媒体に格納されていると前記第１の判定手段が判定した場合、前記記憶媒体に格納された複数の前記ジョブにかかる前記所定の処理モードの実行可否を、前記複数のジョブにかかる前記処理情報に基づいて、前記複数のジョブの各々について順次判定する第２の判定手段とを有し、前記処理手段は、前記第２の判定手段が実行否と判定したジョブを実行することなく、前記第２の判定手段が実行可と判定した複数のジョブを順次実行する５ことを特徴とする。
【００２０】
本発明に係る第９の発明は、前記第２の判定手段が実行否と判定したジョブを特定するための情報を表示する表示手段を有することを特徴とする。
【００２１】
本発明に係る第１０の発明は、前記第２の判定手段が実行否と判定したジョブに対応付けられた前記処理情報を表示する表示手段を有することを特徴とする。
【００２２】
本発明に係る第１１の発明は、前記処理手段が実行したジョブを前記記憶媒体から削除する削除手段を有することを特徴とする。
【００２３】
本発明に係る第１２の発明は、前記記憶媒体が前記画像処理装置に装着された場合において、所定の認証情報が入力されない場合は、前記処理手段のよるジョブの処理を実行をしないことを特徴とする。
【００２４】
本発明に係る第１３の発明は、前記所定の処理は、記録紙への画像記録処理であり、前記処理情報は、前記記録紙への画像記録処理に関する情報であり、前記処理手段は、前記記憶媒体に格納された前記ジョブにかかる前記画像情報に基づいて、前記画像情報に対応する前記画像記録処理に関する情報に応じた前記画像記録処理を実行することを特徴とする。
【００２５】
本発明に係る第１４の発明は、前記第２の判定手段は、前記ジョブにかかる前記画像記録処理に関する情報が、前記処理手段にて実行不可能な画像記録処理を示す情報である場合、前記ジョブにかかる前記画像記録処理を実行否と判定することを特徴とする。
【００３４】
【発明の実施の形態】
図１は、本発明の一実施形態を示す複合画像処理装置の構成を説明するブロック図である。
【００３５】
図において、リーダ部１は原稿の画像を読み取り、原稿画像に応じた画像データをプリンタ部２及び画像入出力制御部３へ出力する。プリンタ部２は、リーダ部１および画像入出力制御部３からの画像データに応じて記録紙上に記録する。
【００３６】
画像入出力制御部３は、リーダ部１に接続されており、ファクシミリ部４，ファイル部５，コンピュータインタフェース部７，フォーマッタ部８，イメージメモリ部９，コア部１０等から構成されている。
【００３７】
ファクシミリ部４は、電話回線を介して受信した圧縮画像データを伸長して、伸長された画像データをコア部１０へ転送し、また、コア部１０から転送された画像データを圧縮して、圧縮された圧縮画像データを電話回線を介して送信する。ファクシミリ部４には、ハードディスク（ＨＤ）１２が接続されており、受信した圧縮画像データを一時的に保存することができる。
【００３８】
ファイル部５には、光磁気ディスクドライブユニット６が接続されており、ファイル部５はコア部１０から転送された画像データを圧縮し、その画像データを検索するためのキーワードとともに、光磁気ディスクドライブユニット６にセットされた光磁気ディスクに記憶させる。
【００３９】
また、ファイル部５は、コア部１０を介して転送されたキーワードに基づいて光磁気ディスクに記憶されている圧縮画像データを検索し、検索された圧縮画像データを読み出して伸長し、伸長された画像データをコア部１０へ転送する。コンピュータインタフェース部７は、パーソナルコンピュータまたはワークステーション（ＰＣ／ＷＳ）１１とコア部１０の間のインタフェースである。
【００４０】
フォーマッタ部８は、ＰＣ／ＷＳ１１から転送された画像を表すコードデータをプリンタ部２で記録できる画像データに展開するものであり、イメージメモリ部９はＰＣ／ＷＳ１１から転送されたデータを一時的に記憶するものである。コア部１０については後述するが、コア部１０はリーダ部１，ファクシミリ部４，ファイル部５，コンピュータインタフェース部７，フォーマッタ部８，イメージメモリ部９のそれぞれの間のデータの流れを制御するものである。
【００４１】
なお、ＰＣ／ＷＳ１１はパーソナルコンピュータあるいはワークステーションで構成される情報処理装置（情報処理端末）で、コンピュータインタフェース部７を介してコア部１０と通信可能に構成されている。
【００４２】
図２は、図１に示したリーダ部１およびプリンタ部２の構成を説明する断面図である。
【００４３】
図において、リーダ部１の原稿給送装置１０１は原稿を最終頁から順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３が点灯し、そしてスキャナユニット１０４の移動を開始させて、原稿を露光走査する。この時の原稿からの反射光は、ミラー１０５，１０６，１０７およびレンズ１０８によってＣＣＤイメージセンサ（ＣＣＤ）１０９へ導かれる。このように、走査された原稿の画像はＣＣＤ１０９によって読み取られる。ＣＣＤ１０９から出力される画像データは、所定の処理が施された後、プリンタ部２及び画像入出力制御部３のコア部１０へ転送される。
【００４４】
プリンタ部２のレーザドライバ２２１は、レーザ発光部２０１を駆動するものであり、リーダ部１から出力された画像データに応じたレーザ光をレーザ発光部２０１に発光させる。このレーザ光は、感光ドラム２０２に照射され、感光ドラム２０２にはレーザ光に応じた潜像が形成される。この感光ドラム２０２の潜像の部分には現像器２０３によって現像剤が付着される。
【００４５】
そして、レーザ光の照射開始と同期したタイミングでカセット２０４及びカセット２０５のいずれかから記録紙を給紙して転写部２０６へ搬送し、感光ドラム２０２に付着された現像剤を記録紙に転写する。現像剤ののった記録紙は定着部２０７に搬送され、定着部２０７の熱と圧力により現像剤は記録紙に定着される。定着部２０７を通過した記録紙は排出ローラ２０８によって排出され、ソータ２２０は排出された記録紙をそれぞれのビンに収納して記録紙の仕分けを行う。
【００４６】
なお、ソータ２２０は仕分けが設定されていない場合は、最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。
【００４７】
一方、多重記録が設定されている場合には、記録紙を排出ローラ２０８まで搬送しないようにフラッパ２０９によって再給紙路へ導く。再給紙路へ導かれた記録紙は上述したタイミングで転写部２０６へ給送される。
【００４８】
図３は、図１に示したリーダ部の画像処理構成を説明する概略ブロック図である。
【００４９】
図において、ＣＣＤ１０９から出力された画像データはＡ／Ｄ・ＳＨ部１１０でアナログ／ディジタル変換が行われるとともに、シェーディング補正が行われる。Ａ／Ｄ・ＳＨ部１１０によって処理された画像データは画像処理部１１１を介してプリンタ部２へ転送されるとともに、インタフェース部（Ｉ／Ｆ）１１３を介して画像入出力制御部３のコア部１０へ転送される。ＣＰＵ１１４は、操作部１１５で設定された設定内容に応じて画像処理部１１１およびインタフェース部１１３を制御する。例えば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インタフェース部１１３から画像データと設定されたモードに応じた制御コマンドをコア部１０へ転送される。このようなＣＰＵ１１４の制御プログラムは、メモリ１１６に記憶されており、ＣＰＵ１１４は、メモリ１１６を参照しながら制御を行う。また、メモリ１１６はＣＰＵ１１４の作業領域としても使用される。
【００５０】
図４は、図１に示したコア部１０の構成を説明するブロック図であり、図１と同一のものには同一の符号を付してある。
【００５１】
図において、リーダ部１からの画像データはデータ処理部１２１へ転送されるとともに、リーダ部１からの制御コマンドはＣＰＵ１２３へ転送される。データ処理部１２１は、画像の回転処理や変倍処理等の画像処理を行うものであり、リーダ部１からデータ処理部１２１へ転送された画像データは、リーダ部１から転送された制御コマンドに応じて、インタフェース（Ｉ／Ｆ）１２０を介してファクシミリ部４，ファイル部５，コンピュータインタフェース部７へ転送される。また、コンピュータインタフェース部７を介して入力された画像を表すコードデータは、データ処理部１２１に転送された後、フォーマッタ部８へ転送されて画像データに展開され、この画像データはデータ処理部１２１に転送された後、ファクシミリ部４やプリンタ部２へ転送される。
【００５２】
ファクシミリ部４からの画像データは、データ処理部１２１へ転送された後、プリンタ部２やファイル部５，コンピュータインタフェース部７へ転送される。また、ファイル部５からの画像データは、データ処理部１２１へ転送された後、プリンタ部２やファクシミリ部４，コンピュータインタフェース部７へ転送される。ＣＰＵ１２３はメモリ１２４に記憶されている制御プログラム、及びリーダ部１から転送された制御コマンドに従ってこのような制御を行う。また、メモリ１２４はＣＰＵ１２３の作業領域としても使用される。このように、コア部１０を中心に、原稿画像の読み取り，画像のプリント，画像の送受信，画像の保存，コンピュータからのデータの入出力等の機能を複合させた処理を行うことが可能である。
【００５３】
以下、図５〜図７を参照して本発明に係る複合画像処理装置のファイル処理方法について説明する。
【００５４】
図５は、図１に示した画像処理装置とは独立したパーソナルコンピュータ或るいはワークステーションＰＣ／ＷＳ１３と記憶装置１４との構成を説明する概略図である。なお、ＰＣ／ＷＳ１３は図１に示したＰＣ／ＷＳ１１とは異なるものであるが、ＰＣ／ＷＳ１１からコンピュータインタフェース部７を介してコア部１０へ画像を送信できない構成である場合は、ＰＣ／ＷＳ１１をＰＣ／ＷＳ１３として使用しても良い。また、記憶装置１４は、図１に示す光磁気ディスクドライブユニット７にセットされる光磁気ディスクを使用できる。ＰＣ／ＷＳ１３は記憶装置１４にセットされる光磁気ディスクに記憶されている画像ファイルを検索したり、光磁気ディスクにジョブファイルを記憶する機能を有している。また、ＰＣ／ＷＳ１３は、ＣＰＵ，ＲＡＭ，ＲＯＭ，ＣＲＴ，キーボード，ポインティングデバイス等を備え、ＣＰＵがＲＡＭ上にＲＯＭまたは図示しない記憶媒体からロードされる制御プログラム（図７，図１０に示すフローチャートに従う工程）を実行して、すなわち、本発明に係る第１〜第１１の発明として、ジョブファイルの格納工程，検知工程，読み出し工程，判定工程，報知工程，ジョブ実行工程等を実行している。また、上記ＣＰＵは、本発明に係る第１２〜第２２の発明として、検出手段，判定手段，処理手段，報知手段を含む各種の機能を果たしている。
【００５５】
図６は、図５に示したＰＣ／ＷＳ１３で作成されるジョブ指定ファイルの構造を説明する図である。
【００５６】
この図に示すように、ジョブ指定ファイルは、転送元を示すパラメータ，転送先を示すパラメータとを１組として構成されている。なお、ジョブ指定ファイルは、ＰＣ／ＷＳ１３で検索を行って文書を指定し作成するか、テキストエディタ等を使って作成するものとする。
【００５７】
図７は、図５に示したＰＣ／ＷＳ１３によるジョブファイル作成処理手順の一例を示すフローチャートである。なお、（１）〜（６）は各ステップを示す。
【００５８】
先ず、光磁気ディスクを図５に示したＰＣ／ＷＳ１３に接続された記憶装置１４に挿入し（１）、ＰＣ／ＷＳ１３のアプリケーションソフトウエアから光磁気ディスク上に作成されたデータベースファイルを読み取ることによって、所望の画像ファイルを検索する（２）。
【００５９】
そして、所望の画像ファイルが見つかったら（３）、例えば図８に示す様に、処理モードを指定する（４）。処理モードは、例えば出力部数，出力ページ数，出力用紙サイズ，両面出力，ソート出力，ステイプル等が指定できる。
【００６０】
そして、これら処理モードは、画像ファイルを特定するユニークなファイル番号とともに光磁気ディスクの所定の領域に出力ジョブファイルとして記憶される（５）。なお、処理モードは、上記のものに限られることなく、種々の画像であっても良い。
【００６１】
図９は、ジョブ指定ファイルの内容の一例を示す説明図である。
【００６２】
この図に示すように、複数のジョブの登録が可能であり、また、ジョブ内容の消去，追加等の変更も可能である。そして、所望のジョブの登録が終了したら、記憶装置１４から光磁気ディスクをイジェクトして（６）、処理を終了する。
【００６３】
これにより、ジョブの登録は、光磁気ディスク単位に設定することができる。
【００６４】
図１０は、本発明に係る複合画像処理装置のファイル処理方法の一例を示すフローチャートであり、ファイル作成処理に対応する。なお、（１）〜（８）は各ステップを示す。
【００６５】
光磁気ディスクを光磁気ディスクドライブユニット６にセットすると、ファイル部５はステップ（１）において、光磁気ディスクにジョブ指定ファイルが記憶されているか否かをチェックする。ステップ（２）において、ジョブファイルが有る場合はステップ（３）に進みファイルを読み込む。
【００６６】
ステップ（４）において、ジョブファイルに指定されているジョブに含まれた処理モードが複合画像処理装置に装備している機能で実行可能かどうかチェックし、実行可能であればステップ（５）に進みジョブを実行する。そして、ファイル部５は、実行終了したジョブを光磁気ディスクのジョブファイルから削除する。この削除処理は、論理的削除でも物理的削除でも良い。また、ジョブの削除は、光磁気ディスクのイジェクト前に行っても良い。
【００６７】
次いで、ステップ（６）で全部のジョブを実行したかチェックし、全部実行するまでステップ（４）からステップ（６）までを繰り返す。
【００６８】
一方、ステップ（２）でファイルがなかった場合、及び全部のジョブを実行後はユーザが操作部から指示するファイル機能を実行する。
【００６９】
一方、ステップ（４）で、実行不能な処理モードを含んだジョブがある場合、リーダ部１の操作部１１５に、実行不能なジョブの番号，画像の文書名等を表示して（８）、ステップ（６）へ戻る。なお、実行不能な原因、すなわち、そのジョブの中のどの処理モードが実行できないかも表示する。そして、次のジョブについても同様にチェックする。
【００７０】
例えば、ジョブの中にステイプル処理が含まれており、プリンタ部２にステイプル機能がない場合、そのジョブは実行不能と判断される。また、ジョブの中に両面記録処理が含まれていて、プリンタ部２に両面記録機能がない場合もそのジョブは実行不能と判断される。
【００７１】
これにより、実行不能なジョブがあると、そのジョブの実行をスキップし、実行可能なジョブを順次実行していく。
【００７２】
なお、パスワード機能を備えている場合は、光磁気ディスクを光磁気ディスクドライブユニット６にセットした時に正しいパスワードを入力しなければ、ジョブ指定ファイルを実行しないように制御してセキュリティを高めるように構成してもよい。
【００７３】
また、画像をプリントする代りにファクシミリ部４を介して画像をファクシミリ通信するジョブでもよい。
【００７４】
なお、本発明は、各装置にプログラムを供給することによって達成させる場合にも適用できることは言うまでもない。
【００７５】
また、本発明は、上述した実施形態に限らず課題を解決するための手段の記載に基づき種々の変形が可能である。
【００７６】
【発明の効果】
以上説明したように、本発明によれば、画像処理装置にて実行されるべきジョブであって、画像処理装置に着脱可能な記憶媒体に格納された複数のジョブに、画像処理装置が実行否のジョブがある場合であっても、実行否のジョブを実行することなく実行可のジョブを順次実行することで、装置全体の処理をスムーズに進行できる画像処理装置を提供することができるという効果を奏する。
【図面の簡単な説明】
【図１】本発明の一実施形態を示す複合画像処理装置の構成を説明するブロック図である。
【図２】図１に示したリーダ部およびプリンタ部の構成を説明する概略断面図である。
【図３】図１に示したリーダ部の画像処理構成を説明する概略ブロック図である。
【図４】図１に示したコア部の構成を説明するブロック図である。
【図５】図１に示したＰＣ／ＷＳと記憶装置との構成を説明する概略図である。
【図６】図５に示したＰＣ／ＷＳで作成されるジョブ指定ファイルの構造を説明する図である。
【図７】図５に示したＰＣ／ＷＳによるジョブファイル作成処理手順の一例を示すフローチャートである。
【図８】図５に示したＰＣ／ＷＳに表示されるジョブの処理モードの設定画面を示す図である。
【図９】ジョブ指定ファイルの内容の一例を示す説明図である。
【図１０】本発明に係る複合画像処理装置のファイル処理方法の一例を示すフローチャートである。
【符号の説明】
１  リーダ部
２  プリンタ部
３  画像入出力制御部
５  ファイル部
６  光磁気ディスクドライブユニット
７  コンピュータインタフェース部
１０  コア部
１３  情報処理装置
１４  記憶装置
【図１】
0003618883.tif 000002
【図２】
0003618883.tif 000003
【図３】
0003618883.tif 000004
【図４】
0003618883.tif 000005
【図５】
0003618883.tif 000006
【図６】
0003618883.tif 000007
【図７】
0003618883.tif 000008
【図８】
0003618883.tif 000009
【図９】
0003618883.tif 000010
【図１０】
0003618883.tif 000011